【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
イソシアナート成分と；
式（ＲＯ）n（Ｍ）（Ｅ）（ＥＨ）3-nを有する有機酸誘導体と
を含んでなる組成物であって、
Ｍは、窒素、リン、ヒ素、アンチモン又はビスマスであり、
ｎは、１の整数又は２の整数であり、
各Ｅは、独立して、酸素、硫黄、セレン又はテルルであり、
各Ｒは、独立して、水素、アルキル基、環状アリール基、非環状アリール基、ハロゲン置換されたアルキル基、ハロゲン置換された環状アリール基又はハロゲン置換された非環状アリール基であり；かつ
ポリウレタンが、前記イソシアナート成分と前記有機酸誘導体との反応生成物から本質的になり、前記反応生成物が、前記イソシアナート成分及び前記有機酸誘導体が加熱される際に形成されており、
前記有機酸誘導体と前記イソシアナート成分との合計質量に対する前記イソシアナート成分の質量の比が、反応及び前記ポリウレタンの形成前に０．７〜０．９５である、
組成物。
【請求項２】
Ｍがリンであり、Ｅが酸素であり、かつＲがブチル基であり、かつ前記イソシアナート成分が、ＭＤＩ、ポリメリックＭＤＩ、ＴＤＩ及びそれらの組合せの群から選択されるか、又は
前記有機酸誘導体が、リン酸モノブチルエステル、リン酸ジブチルエステル、リン酸モノフェニルエステル、リン酸ジフェニルエステル、リン酸２−ブトキシ−１−エチルエステル、酸性リン酸２−エチルヘキシル、酸性リン酸セチル、酸性リン酸ステアリル、酸性リン酸ブチル、酸性リン酸ジブチル、酸性リンモノメチル、酸性リン酸ジメチル、酸性リン酸モノエチル、酸性リン酸ジエチル、酸性リン酸モノプロピル、酸性リン酸ジプロピル、それらのハロゲン置換された誘導体及びそれらの組合せの群から選択される、請求項１記載の組成物。
【請求項３】
イソシアナート成分と、
式（ＲＯ）n（Ｍ）（Ｅ）（ＥＨ）3-nを有する有機酸誘導体と
の加熱下での反応生成物から本質的になるポリウレタンであって、
Ｍは、窒素、リン、ヒ素、アンチモン又はビスマスであり、
ｎは、１の整数又は２の整数であり、
各Ｅは、独立して、酸素、硫黄、セレン又はテルルであり、
各Ｒは、独立して、水素、アルキル基、環状アリール基、非環状アリール基、ハロゲン置換されたアルキル基、ハロゲン置換された環状アリール基又はハロゲン置換された非環状アリール基であり、
前記有機酸誘導体と前記イソシアナート成分との合計質量に対する前記イソシアナート成分の質量の比は、反応前に０．７〜０．９５である、
ポリウレタン。
【請求項４】
Ｍがリンであり、Ｅが酸素であり、かつＲがブチル基であり、かつ前記イソシアナート成分が、ＭＤＩ、ポリメリックＭＤＩ、ＴＤＩ及びそれらの組合せの群から選択されるか、又は
前記有機酸誘導体が、リン酸モノブチルエステル、リン酸ジブチルエステル、リン酸モノフェニルエステル、リン酸ジフェニルエステル、リン酸２−ブトキシ−１−エチルエステル、酸性リン酸２−エチルヘキシル、酸性リン酸セチル、酸性リン酸ステアリル、酸性リン酸ブチル、酸性リン酸ジブチル、酸性リン酸モノメチル、酸性リン酸ジメチル、酸性リン酸モノエチル、酸性リン酸ジエチル、酸性リン酸モノプロピル、酸性リン酸ジプロピル、それらのハロゲン置換された誘導体及びそれらの組合せの群から選択される、請求項３記載のポリウレタン。
【請求項５】
イソシアナート成分を用意することと；
式（ＲＯ）n（Ｍ）（Ｅ）（ＥＨ）3-nを有する有機酸誘導体を用意することと、
ここで、Ｍは、窒素、リン、ヒ素、アンチモン又はビスマスであり、
ｎは、１の整数又は２の整数であり、
各Ｅは、独立して、酸素、硫黄、セレン又はテルルであり、
各Ｒは、独立して、水素、アルキル基、環状アリール基、非環状アリール基、ハロゲン置換されたアルキル基、ハロゲン置換された環状アリール基又はハロゲン置換された非環状アリール基であり；及び
前記イソシアナート成分及び前記有機酸誘導体を合一することと、
ここで、前記有機酸誘導体と前記イソシアナート成分との合計質量に対する前記イソシアナート成分の質量の比が、反応前に０．７〜０．９５であり；
前記イソシアナート成分及び前記有機酸誘導体を第一温度で加熱することと；
第一温度を第一時間にわたって維持して、前記イソシアナート成分と前記有機酸誘導体とを反応させてポリウレタンを形成することと；
該ポリウレタンを、第一温度より高い第二温度で加熱することと；
第二温度を第二時間にわたって維持して、変性イソシアナート化合物が形成されることと
を含んでなる、方法。
【請求項６】
前記変性イソシアナート化合物と、前記イソシアナート成分と、前記有機酸誘導体とを含んでなる変性イソシアナート組成物が形成され、かつ前記有機酸誘導体が、前記変性イソシアナート組成物中に存在する、前記変性イソシアナート化合物、前記イソシアナート成分及び前記有機酸誘導体の合計質量の少なくとも１質量％の量で前記変性イソシアナート組成物中に存在し、かつ
前記有機酸誘導体が、前記変性イソシアナート組成物中に存在する、前記変性イソシアナート化合物、前記イソシアナート成分及び前記有機酸誘導体の合計質量の５０質量％又はそれ未満の量で前記変性イソシアナート組成物中に存在するか、又は
該変性イソシアナート組成物が、少なくとも１９％かつ３０％以下の平均遊離ＮＣＯ含有率を有する、請求項５記載の方法。
【請求項７】
Ｍがリンであり、Ｅが酸素であり、かつＲがブチル基であり、かつ前記イソシアナート成分が、ＭＤＩ、ポリメリックＭＤＩ、ＴＤＩ及びそれらの組合せの群から選択されるか、又は
前記有機酸誘導体が、リン酸モノブチルエステル、リン酸ジブチルエステル、リン酸モノフェニルエステル、リン酸ジフェニルエステル、リン酸２−ブトキシ−１−エチルエステル、酸性リン酸２−エチルヘキシル、酸性リン酸セチル、酸性リン酸ステアリル、酸性リン酸ブチル、酸性リン酸ジブチル、酸性リン酸モノメチル、酸性リン酸ジメチル、酸性リン酸モノエチル、酸性リン酸ジエチル、酸性リン酸モノプロピル、酸性リン酸ジプロピル、それらのハロゲン置換された誘導体及びそれらの組合せの群から選択される、請求項５又は６記載の方法。
【請求項８】
イソシアナート成分と；
式（ＲＯ）n（Ｍ）（Ｅ）（ＥＨ）3-nを有する有機酸誘導体と
の反応生成物を含んでなる、変性イソシアナート化合物
を含んでなる変性イソシアナート組成物であって、
Ｍは、窒素、リン、ヒ素、アンチモン又はビスマスであり、
ｎは、１の整数又は２の整数であり、
各Ｅは、独立して、酸素、硫黄、セレン又はテルルであり、
各Ｒは、独立して、水素、アルキル基、環状アリール基、非環状アリール基、ハロゲン置換されたアルキル基、ハロゲン置換された環状アリール基又はハロゲン置換された非環状アリール基であり；かつ
前記有機酸誘導体が、該変性イソシアナート組成物の少なくとも１質量％の量で存在し；かつ
前記イソシアナート成分及び前記有機酸誘導体が、第一温度に第一期間にわたって加熱されて、ポリウレタンが形成されており、かつ前記ポリウレタンが、前記第一温度より高い第二温度に第二期間にわたって加熱されて、前記変性イソシアナート化合物が形成されている、
変性イソシアナート組成物。
【請求項９】
前記有機酸誘導体が、該変性イソシアナート組成物の５０質量％又はそれ未満の量で存在するか、又は
該変性イソシアナート組成物が、少なくとも１９％かつ３０％以下の平均遊離ＮＣＯ含有率を有する、請求項８記載の変性イソシアナート組成物。
【請求項１０】
Ｍがリンであり、Ｅが酸素であり、かつＲがブチル基であり、かつ前記イソシアナート成分が、ＭＤＩ、ポリメリックＭＤＩ、ＴＤＩ及びそれらの組合せの群から選択されるか、又は
前記有機酸誘導体が、リン酸モノブチルエステル、リン酸ジブチルエステル、リン酸モノフェニルエステル、リン酸ジフェニルエステル、リン酸２−ブトキシ−１−エチルエステル、酸性リン酸２−エチルヘキシル、酸性リン酸セチル、酸性リン酸ステアリル、酸性リン酸ブチル、酸性リン酸ジブチル、酸性リン酸モノメチル、酸性リン酸ジメチル、酸性リン酸モノエチル、酸性リン酸ジエチル、酸性リン酸モノプロピル、酸性リン酸ジプロピル、それらのハロゲン置換された誘導体及びそれらの組合せの群から選択される、請求項８又は９記載の変性イソシアナート組成物。